(57)【要約】【課題】デジタル入力インタフェースを有するＦＰＵ伝送装置において、外部装置よりの入力有効レートをＦＰＵ装置の任意の伝送有効レートに自動的に合わせ伝送し、受信部において外部装置の入力有効レートを再生し出力可能とすることにより、様々なデジタルインタフェースとＦＰＵ伝送装置間とのシステム接続動作を可能とする。【解決手段】外部装置より入力されるクロック及びデータ信号に対し、常にクロック信号の入力有効レートを算出し、ＦＰＵ伝送装置の伝送レートに合わせるべくＦＰＵ伝送装置の伝送有効レートと入力されるクロック信号の有効レートとの差分を固有データのスタッフィング処理を行い、有効データと共に再フレーム化して伝送することで対応可能とする。また、受信部にて送信部より伝送されたデータより外部装置より入力されたデータレートを再生する機能を有する。【選択図】      図１
2004266753.tif 000002
【特許請求の範囲】
【請求項１】
デジタル入力インタフェースを有するＦＰＵ伝送装置において、送信部側に、外部装置よりの入力有効レートに応じ、伝送データ量が該ＦＰＵ伝送装置の伝送有効レートに合うよう、伝送する有効データに固有のデータを付加して伝送する手段を有し、受信部側に、上記送信部より付加された固有のデータから上記外部装置よりの入力有効レートを再生し出力する手段を有することを特徴とするデジタルデータ伝送装置。
【請求項２】
請求項１において、上記固有のデータであるスタッフィングデータには、受信部にて有効データとスタッフィングデータとの判別や有効データのクロックレートを再生可能とするヘッダ情報が付加されていることを特徴とするデジタルデータ伝送装置。
【請求項３】
デジタル入力インタフェースを有するＦＰＵ伝送装置において、送信部側に、外部装置より入力されるクロック及び有効データに対し、常にクロック信号の入力有効レートを算出し、ＦＰＵ伝送装置の伝送レートに合わせるべく当該ＦＰＵ伝送装置の伝送有効レートと入力されるクロック信号の有効レートとの差分を固有データのスタッフィング処理を行い、有効データと共に再フレーム化して伝送する手段を有し、受信部側に、上記送信部より付加された固有のデータから上記外部装置よりの入力有効レートを再生し出力する手段を有することを特徴とするデジタルデータ伝送装置。
【発明の詳細な説明】
【０００１】
【発明の属する技術分野】
本発明は、デジタル入力インタフェースを有するＦＰＵ（Ｆｉｅｌｄ  Ｐｉｃｋｕｐ  Ｕｎｉｔ）伝送装置において、外部装置よりの入力有効レートを、ＦＰＵ装置の任意の伝送有効レートに自動的に合わせ伝送し、受信部において外部装置の入力有効レートを再生し出力可能とすることにより、様々なデジタルインタフェースとＦＰＵ伝送装置間とのシステム接続動作を可能とするものである。
【０００２】
【従来の技術】
近年、ＦＰＵと称される無線画像伝送装置は、アナログ伝送からデジタル伝送方式ヘと移行しつつある。  デジタル伝送方式ではアナログ伝送方式とは違い、映像信号や音声信号を符号化する装置を使用することで本来のデータ量を圧縮し、より低い伝送レートで情報伝送することが可能となる。  このため、デジタル伝送方式では、伝送すべき情報の内容や量により、その各々の情報に対し最適な伝送レートを選択することが可能となり、また、外部装置間のデジタルインタフェースにおいてもその各々の伝送レートは多種に及ぶ。  従って、ＦＰＵ装置においては、これらのインタフェースと接続するために、ＦＰＵ装置内部の伝送有効レートを、接続する外部装置が有するデジタルインタフェースのデータレートに一致させる必要があった。
【０００３】
【発明が解決しようとする課題】
前述の従来技術では、デジタル入力インタフェースを有するＦＰＵ伝送装置において、外部装置よりの入力有効レートとＦＰＵ装置内部の伝送有効レートを完全に一致させる必要がある。  従って、接続する外部装置が有するデジタルインタフェースに応じてＦＰＵ伝送装置内部の伝送有効レートを変更するという問題があった。
【０００４】
本発明はこれらの欠点を除去し、接続する外部装置のインタフェースに依存せず、また、ＦＰＵ伝送装置内部のレート変更を不要とすることを目的とする。
【０００５】
【課題を解決するための手段】
本発明は、上記の目的を達成するため、デジタル入力インタフェースを有するＦＰＵ伝送装置において、送信部側に、外部装置よりの入力有効レートに応じ、伝送データ量が該ＦＰＵ装置の伝送有効レートに合うよう、伝送する有効データに固有のデータを付加して伝送する手段を有し、受信部側に、送信部より付加された固有のデータから外部装置よりの入力有効レートを再生し出力する手段を有するものである。
【０００６】
また、固有のデータであるスタッフィングデータには、受信部にて有効データとスタッフィングデータとの判別や有効データのクロックレートを再生可能とするヘッダ情報が付加されている。
【０００７】
また、送信部側に、外部装置より入力されるクロック及び有効データに対し、常にクロック信号の入力有効レートを算出し、ＦＰＵ伝送装置の伝送レートに合わせるべく当該ＦＰＵ伝送装置の伝送有効レートと入力されるクロック信号の有効レートとの差分を固有データのスタッフィング処理を行い、有効データと共に再フレーム化して伝送する手段を有し、受信部側に、送信部より付加された固有のデータから上記外部装置よりの入力有効レートを再生し出力する手段を有する
ものである。
【０００８】
具体的には、デジタルＦＰＵ装置を使用するシステムにおいて、デジタルＦＰＵ装置の送信部では、画像符号化装置等の外部装置と接続されるデジタルインタフェースからの入力信号より、クロック信号をまず外部クロック周波数カウンタ部に入力しカウント動作させる。
【０００９】
その結果を随時、固有データ挿入（スタッフィングデータ）処理を行うコントロール部に転送する。  スタッフィングデータ処理するコントロール部では、この結果とＦＰＵ伝送装置内部の伝送有効レートでカウントされる結果を基に、外部装置より入力された有効データとスタッフィング処理するデータ数とを制御し、ＦＰＵ伝送装置（送信部）の伝送有効レートに合わせデータ伝送する。この際に、受信部にて有効データとスタッフィングデータとの判別や有効データのクロックレートを再生可能なように、スタッフィングデータ内にスタッフィングデータ部を示すヘッダ情報を付加する。
【００１０】
ＦＰＵ装置受信部では、受信されたデータを有効データとスタッフィングデータとに分離するために、スタッフィング除去を行う制御部にて、受信したデータ内のヘッダ情報を読取り、有効データとスタッフィングデータとの分離を図り、分離した有効データをレート制御用のメモリ部に一旦格納する。  また、同じく受信データ内より有効データのクロックレート情報を読取り、クロック再生部にて外部装置より入力された有効クロックを再生し、レート制御用のメモリに格納されている有効データを読出して外部装置へ出力する。
【００１１】
【発明の実施の形態】
以下、本発明の実施の形態について、図１〜図３を用いて説明する。  図１は本発明の一実施例のデジタルＦＰＵ運用時のシステム構成を説明する図、図２は本発明の一実施例のデジタルＦＰＵ送信制御部におけるスタッフィングエンコード制御（スタッフィング挿入処理）を説明する図、図３は本発明の一実施例のデジタルＦＰＵ受信制御部におけるスタッフィングデコード制御（スタッフィング除去処理）を説明する図である。
【００１２】
まず、図１では画像符号化装置２にカメラ１とＦＰＵ送信制御部３が接続され、ＦＰＵ送信制御部３はＦＰＵ送信高周波部４と接続されている。そして、ＦＰＵ受信高周波部５とＦＰＵ受信制御部６が接続され、画像復号化装置７がＦＰＵ受信制御部６とモニタ８と接続されている。
【００１３】
次に、図１の動作について説明する。画像符号化装置２ではカメラ１より入力された映像信号を画像符号化及び誤り訂正外符号化処理を行った後、ＦＰＵ送信制御部３で誤り訂正内符号化処理されてＦＰＵ送信高周波部４からＦＰＵ受信高周波部５へと伝送される。ＦＰＵ受信高周波部５にて受信された信号はＦＰＵ受信制御部６にて誤り訂正内復号化処理された後、画像復号化装置７にて誤り訂正外復号化処理及び画像復号化されモニタ８に出力される。
【００１４】
次に、図２の動作について説明する。図１の画像符号化装置２は、ＦＰＵ送信制御部３へクロック及びデータ信号を出力する。これらの入力信号が、図２における有効クロック信号９と有効データ信号１０である。まず、ＦＰＵ送信制御部３内に取り込まれた有効クロック信号９は、外部クロックカウンタ部１１に入力される。
【００１５】
外部クロックカウンタ部１１では、入力されたクロック信号がどの程度のレートであるかを判断するために内部でカウントした値をスタッフィングエンコード制御部１２に出力する。  また、ＦＰＵ送信制御部３内のリファレンスクロック発生部１５より発生したクロックを使用し時間カウンタ部１４にてカウントし、その値をスタッフィングエンコード制御部１２に出力する。
【００１６】
スタッフィングエンコード制御部１２では、外部クロックカウンタ部１１にてカウントされた結果と時間カウンタ部１４にてカウントされた結果とを比較し、外部より入力された有効クロック信号９のデータレートを把握すると共にＦＰＵ送信制御部３の伝送レートに対応したフレーム構造とするため、有効データ信号１０に付加するスタッフィングデータ１８のデータ量を算出する。この算出した結果よりフレーム内の有効データ信号１０とスタッフィングデータ１８とを切り分けるためのイネーブル信号を発生し、データ切替部１９にて各々を切り替えることによって再フレームを形成し伝送する。
【００１７】
また、各々のフレーム内には有効データ信号１０とスタッフィングデータ１８以外に、フレーム内にスタッフィングしたデータ期間を示すヘッダ情報と、有効クロック信号９のデータレートを示す情報データを付加する。これによりＦＰＵ受信制御部６では、このフレーム内に付加した各々のデータ情報を読み取ることで、有効クロック信号９及び有効データ信号１０を再生することが可能となる。そして、ＣＰＵ制御部１７では外部より入力された有効クロック信号９に内部の送信シンボルクロック発生部１６より出力するクロック信号を追従させるための制御を行う。
【００１８】
次に、図３の動作について説明する。ＦＰＵ受信制御部６にて復調された受信データ信号２０は、スタッフィングデコード部２２に入力され、フレーム内に付加されたスタッフィングデータ期間を示す情報とデータレートを示す情報を読み取る。そして、スタッフィングデータ期間を示す情報から有効データ信号１０とスタッフィングデータ１８とを切り分けるイネーブル信号を生成し、データ分離部２５にてスタッフィングデータを除去した後、データレート制御用メモリ２６に有効データ信号１０を格納する。  また、フレーム内より読み出されたデータレートを示す情報より、有効クロック生成部２３にて有効クロック信号９を再生する。  そして、この再生された有効クロック信号９により、データレート制御用メモリ部２６に格納された有効データ信号１０を読み出し、画像復号化装置７ヘ出力する。
【００１９】
【発明の効果】
本発明のデジタルデータ伝送装置を用いれば、以下のような効果が得られる。
（イ）  外部装置の入力有効レートを、ＦＰＵ伝送装置の伝送有効レートに合わせて動作させるため、接続する外部装置のレートによってＦＰＵ装置のハードの変更は不要となる。
（ロ）  受信部側にて、送信部で付加された固有のデータから、外部装置よりの入力有効レートを再生し出力可能であるので、入力側と同様なインタフェースと接続可能となる。
【図面の簡単な説明】
【図１】本発明の一実施例のシステム構成図。
【図２】本発明のデジタルＦＰＵ送信制御部の一実施例の構成を示すブロック図。
【図３】本発明のデジタルＦＰＵ受信制御部の一実施例の構成を示すブロック図。
【符号の説明】
１：ＨＤＴＶカメラ、２：画像符号化装置、３：ＦＰＵ送信制御部、４：ＦＰＵ送信高周波部、５：ＦＰＵ受信高周波部、６：ＦＰＵ受信制御部、７：画像復号化装置、８：ＨＤＴＶモニタ、９：有効クロック信号、１０：有効データ信号、１１：外部クロックカウンタ部、１２：スタッフィングエンコード部、１３：伝送クロック生成部、１４：時間カウンタ部、１５：リファレンスクロック発生部、１６：送信シンボルクロック発生部、１７：ＣＰＵ制御部、１８：スタッフィングデータ信号、１９：データ切替部、２０：受信データ信号、２１：受信クロック信号、２２：スタッフィングデコード部、２３：有効クロック生成部、２４：受信シンボルクロック生成部、２５：データ分離部、２６：データレート制御用メモリ部。
【図１】
2004266753.tif 000003
【図２】
2004266753.tif 000004
【図３】
2004266753.tif 000005